(57)【要約】【課題】用紙に対して折り処理を行う場合に、使用者が得たい折り状態を容易に実現する。【解決手段】領域設定部は、用紙を折り処理した後の状態において外部から見えるようにしたい領域または隠したい領域を設定する。折り処理条件決定部は、領域設定部による設定結果に基づいて、折り位置、折り方向、折り順序からなる折り処理条件を決定する。具体的には、折り処理条件決定部は、用紙先端から、Ａ＋Ｃ／２の場所に谷折りを行い、Ａ＋Ｃの場所に山折りを行うような折り処理条件を決定する。折り処理装置では、折り処理条件決定部により決定された折り処理条件に基づいて、画像が形成された後の用紙に対して折り処理を実行する。【選択図】図１１
2009102143.tif 000002
【特許請求の範囲】
【請求項１】
用紙を折り処理した後の状態において外部から見えるようにしたい領域または隠したい領域を設定する設定手段と、
前記設定手段による設定結果に基づいて、折り処理条件を決定する決定手段と、
前記決定手段により決定された折り処理条件に基づいて、折り処理を実行する実行手段と、
を有する折り処理装置。
【請求項２】
前記決定手段により決定された折り処理条件に基づいて折り処理を行った場合の折り状態を表示する表示手段をさらに有する請求項１記載の折り処理装置。
【請求項３】
受け付けた修正指示に基づいて、前記決定手段により決定された折り処理条件を修正する修正手段をさらに有する請求項２記載の折り処理装置。
【請求項４】
前記決定手段は、用紙先端から所定幅だけ見せたい領域が設定された場合、用紙先端から、用紙の搬送方向の全長から該見せたい領域の幅を減じた値の半分の値に該見せたい領域の幅を加算した場所に、谷折りを行うような折り処理条件を決定する請求項１から３いずれか１項記載の折り処理装置。
【請求項５】
前記決定手段は、用紙先端から第１の幅の見せたい領域と、用紙後端から第２の幅の見せたい領域とが設定された場合、用紙先端から、用紙の搬送方向の全長から前記第１の幅および第２の幅を減じた値の半分の値に前記第１の幅を加算した場所に谷折りを行い、用紙の搬送方向の全長から前記第２の幅を減じた値の場所に山折りを行うような折り処理条件を決定する請求項１から３いずれか１項記載の折り処理装置。
【請求項６】
用紙を折り処理した後の状態において外部から見えるようにしたい領域または隠したい領域を設定する設定手段と、
前記設定手段による設定結果に基づいて、折り処理条件を決定する決定手段と、
折り処理が行われる用紙に対して画像を出力する出力手段と、
を有する画像形成装置。
【請求項７】
用紙を折り処理した後の状態において外部から見えるようにしたい領域または隠したい領域を設定する設定手段と、
前記設定手段による設定結果に基づいて、折り処理条件を決定する決定手段と、
を有する印刷指示装置。
【請求項８】
用紙を折り処理した後の状態において外部から見えるようにしたい領域または隠したい領域を設定する設定手段と、
前記設定手段による設定結果に基づいて、折り処理条件を決定する決定手段と、
折り処理が行われる用紙に対して画像を出力する出力手段と、
前記決定手段により決定された折り処理条件に基づいて、前記出力手段により画像が出力された用紙に対して折り処理を実行する実行手段と、
を有する画像形成システム。
【請求項９】
用紙を折り処理した後の状態において外部から見えるようにしたい領域または隠したい領域を設定する設定ステップと、
前記設定ステップにおいて設定された設定結果に基づいて、折り処理条件を決定する決定ステップと、
前記決定ステップにおいて決定された折り処理条件に基づいて、折り処理を実行する実行ステップとをコンピュータに実行させるためのプログラム。
【請求項１０】
用紙を折り処理した後の状態において外部から見えるようにしたい領域または隠したい領域を設定する設定ステップと、
前記設定ステップにおいて設定された設定結果に基づいて、折り処理条件を決定する決定ステップとをコンピュータに実行させるためのプログラム。
【発明の詳細な説明】
【技術分野】
【０００１】
本発明は、折り処理装置、画像形成装置、印刷指示装置と画像形成システムおよびプログラムに関する。
【背景技術】
【０００２】
特許文献１には、設定された折り位置、折り方向及び折り順序に従って搬入された用紙に対して折り処理を行う用紙処理装置が開示されている。
【０００３】
【特許文献１】特開２００５−１３８９６１号公報
【発明の開示】
【発明が解決しようとする課題】
【０００４】
本発明の目的は、用紙に対して折り処理を行う場合に、使用者が得たい折り状態を容易に実現することが可能な折り処理装置、画像形成装置、印刷指示装置と画像形成システムおよびプログラムを提供することである。
【課題を解決するための手段】
【０００５】
［折り処理装置］
請求項１に係る本発明は、用紙を折り処理した後の状態において外部から見えるようにしたい領域または隠したい領域を設定する設定手段と、
前記設定手段による設定結果に基づいて、折り処理条件を決定する決定手段と、
前記決定手段により決定された折り処理条件に基づいて、折り処理を実行する実行手段とを有する折り処理装置である。
【０００６】
請求項２に係る本発明は、前記決定手段により決定された折り処理条件に基づいて折り処理を行った場合の折り状態を表示する表示手段をさらに有する請求項１記載の折り処理装置である。
【０００７】
請求項３に係る本発明は、受け付けた修正指示に基づいて、前記決定手段により決定された折り処理条件を修正する修正手段をさらに有する請求項２記載の折り処理装置である。
【０００８】
請求項４に係る本発明は、前記決定手段が、用紙先端から所定幅だけ見せたい領域が設定された場合、用紙先端から、用紙の搬送方向の全長から該見せたい領域の幅を減じた値の半分の値に該見せたい領域の幅を加算した場所に、谷折りを行うような折り処理条件を決定する請求項１記載の折り処理装置である。
【０００９】
請求項５に係る本発明は、前記決定手段が、用紙先端から第１の幅の見せたい領域と、用紙後端から第２の幅の見せたい領域とが設定された場合、用紙先端から、用紙の搬送方向の全長から前記第１の幅および第２の幅を減じた値の半分の値に前記第１の幅を加算した場所に谷折りを行い、用紙の搬送方向の全長から前記第２の幅を減じた値の場所に山折りを行うような折り処理条件を決定する請求項１記載の折り処理装置である。
【００１０】
［画像形成装置］
請求項６に係る本発明は、用紙を折り処理した後の状態において外部から見えるようにしたい領域または隠したい領域を設定する設定手段と、
前記設定手段による設定結果に基づいて、折り処理条件を決定する決定手段と、
折り処理が行われる用紙に対して画像を出力する出力手段とを有する画像形成装置である。
【００１１】
［印刷指示装置］
請求項７に係る本発明は、用紙を折り処理した後の状態において外部から見えるようにしたい領域または隠したい領域を設定する設定手段と、
前記設定手段による設定結果に基づいて、折り処理条件を決定する決定手段とを有する印刷指示装置である。
【００１２】
［画像形成システム］
請求項８に係る本発明は、用紙を折り処理した後の状態において外部から見えるようにしたい領域または隠したい領域を設定する設定手段と、
前記設定手段による設定結果に基づいて、折り処理条件を決定する決定手段と、
折り処理が行われる用紙に対して画像を出力する出力手段と、
前記決定手段により決定された折り処理条件に基づいて、前記出力手段により画像が出力された用紙に対して折り処理を実行する実行手段とを有する画像形成システムである。
【００１３】
［プログラム］
請求項９に係る本発明は、用紙を折り処理した後の状態において外部から見えるようにしたい領域または隠したい領域を設定する設定ステップと、
前記設定ステップにおいて設定された設定結果に基づいて、折り処理条件を決定する決定ステップと、
前記決定ステップにおいて決定された折り処理条件に基づいて、折り処理を実行する実行ステップとをコンピュータに実行させるためのプログラムである。
【００１４】
請求項１０に係る本発明は、用紙を折り処理した後の状態において外部から見えるようにしたい領域または隠したい領域を設定する設定ステップと、
前記設定ステップにおいて設定された設定結果に基づいて、折り処理条件を決定する決定ステップとをコンピュータに実行させるためのプログラムである。
【発明の効果】
【００１５】
請求項１に係る本発明によれば、使用者が折り処理条件を指定する場合と比較して、使用者が得たい折り状態を容易に実現することが可能な折り処理装置を提供することができる。
【００１６】
請求項２に係る本発明によれば、請求項１により得られる効果に加えて、使用者が、設定された折り処理条件に基づく折り状態を把握することが可能な折り処理装置を提供することができる。
【００１７】
請求項３に係る本発明によれば、請求項１により得られる効果に加えて、設定された折り処理条件に基づく折り状態を修正することが可能な折り処理装置を提供することができる。
【００１８】
請求項４に係る本発明によれば、用紙先端部分から所定幅だけ見せたい領域が設定された場合に、使用者が折り処理条件を指定する場合と比較して、使用者が得たい折り状態を容易に実現することが可能な折り処理装置を提供することができる。
【００１９】
請求項５に係る本発明によれば、用紙先端部分から所定幅と用紙後端から所定幅を見せたい領域として設定された場合に、使用者が折り処理条件を指定する場合と比較して、使用者が得たい折り状態を容易に実現することが可能な折り処理装置を提供することができる。
【００２０】
請求項６に係る本発明によれば、使用者が折り処理条件を指定する場合と比較して、使用者が得たい折り状態を容易に実現することが可能な画像形成装置を提供することができる。
【００２１】
請求項７に係る本発明によれば、使用者が折り処理条件を指定する場合と比較して、使用者が得たい折り状態を容易に実現することが可能な印刷指示装置を提供することができる。
【００２２】
請求項８に係る本発明によれば、使用者が折り処理条件を指定する場合と比較して、使用者が得たい折り状態を容易に実現することが可能な画像形成システムを提供することができる。
【００２３】
請求項９に係る本発明によれば、使用者が折り処理条件を指定する場合と比較して、使用者が得たい折り状態を容易に実現することが可能なプログラムを提供することができる。
【００２４】
請求項１０に係る本発明によれば、使用者が折り処理条件を指定する場合と比較して、使用者が得たい折り状態を容易に実現することが可能なプログラムを提供することができる。
【発明を実施するための最良の形態】
【００２５】
次に、本発明の実施の形態について図面を参照して詳細に説明する。
【００２６】
[第１の実施形態]
図１は本発明の第１の実施形態の画像形成システムの構成を示す図である。
【００２７】
本実施形態の画像形成システムは、図１に示されるように、ネットワーク４０により相互に接続された画像形成装置１０、折り処理装置２０および端末装置３０により構成される。端末装置３０は、印刷データを生成して、ネットワーク４０経由にて画像形成装置１０に対して送信する印刷指示装置として機能する。画像形成装置１０は、端末装置３０から送信された印刷データを受け付けて、印刷データに応じた画像を用紙上に出力する。折り処理装置２０は、画像形成装置１０から出力された用紙に対して折り処理を実施する。なお、画像形成装置１０は、印刷（プリント）機能、スキャン機能、複写（コピー）機能、ファクシミリ機能等の複数の機能を有するいわゆる複合機と呼ばれる装置である。
【００２８】
次に、本実施形態の画像形成システムにおける画像形成装置１０のハードウェア構成を図２に示す。
画像形成装置１０は、図２に示されるように、ＣＰＵ１１、メモリ１２、ハードディスクドライブ（ＨＤＤ）等の記憶装置１３、ネットワーク４０を介して外部の装置等との間でデータの送信及び受信を行う通信インタフェース（ＩＦ）１４、タッチパネル又は液晶ディスプレイ並びにキーボードを含むユーザインタフェース（ＵＩ）装置１５、スキャナ１６、プリントエンジン１７を有する。これらの構成要素は、制御バス１８を介して互いに接続されている。
【００２９】
ＣＰＵ１１は、メモリ１２または記憶装置１３に格納された制御プログラムに基づいて所定の処理を実行して、画像形成装置１０の動作を制御する。
なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００３０】
図３は、上記の制御プログラムが実行されることにより実現される画像形成装置１０および折処理装置２０の機能構成を示すブロック図である。
【００３１】
本実施形態の画像形成装置１０は、図３に示されるように、出力画像表示部３１と、画像出力部３２と、領域設定部３３と、折り処理条件決定部３４とを有する。また、折り処理装置２０は、折り処理実行部２１を有する。
【００３２】
出力画像表示部３１は、端末装置３０から送信されてきた印刷データを印刷した場合の出力画像であるプレビュー画像を表示装置に表示する。
【００３３】
画像出力部３２は、折り処理装置２０により折り処理が行われる用紙に対して、端末装置３０から送信されてきた印刷データに基づいた画像を出力する。
【００３４】
領域設定部３３は、用紙を折り処理した後の状態において外部から見えるようにしたい領域または隠したい領域を設定する。ここで、外部から見えるようにしたい領域とは、折り処理をした後の状態でも外部から内容を視認可能なようにしたい領域であり、例えば折り処理が行なわれた結果、表面に現れることによって外から見えるような領域を意味している。また、隠したい領域とは、外部から内容が視認不可能なようにしたい領域であり、例えば折り処理が行なわれた結果、内側になることによって外から見えなくなるような領域を意味している。また、領域設定部３３により外部から見えるようにしたい領域が設定された場合、残りの領域は隠したい領域であり、領域設定部３３により隠したい領域が設定された場合、残りの領域は外部から見えるようにしたい領域である。
【００３５】
折り処理条件決定部３４は、領域設定部３３による設定結果に基づいて、折り位置、折り方向、折り順序からなる折り処理条件を決定する。
【００３６】
また、出力画像表示部３１は、折り処理条件決定部３４により決定された折り処理条件に基づいて折り処理を行った場合の折り状態をプレビュー表示として表示する。
【００３７】
そして、折り処理条件決定部３４は、出力画像表示部３１によるプレビュー表示を参照した使用者から、ＵＩ装置１５を介して受け付けた修正指示に基づいて、折り処理条件決定部３４により決定された折り処理条件を修正する修正手段としての機能を有する。
【００３８】
折り処理実行部２１は、折り処理条件決定部３４により決定された折り処理条件を画像形成装置１０から受け取り、この折処理条件に基づいて、画像形成装置１０により画像が形成された後の用紙に対して折り処理を実行する。
【００３９】
本実施形態の画像形成システムでは、画像形成装置１０において印刷した後の用紙、複写された後の用紙等の各種用紙に対して折り処理を行うことが可能である。
【００４０】
次に、折り処理実行部２１を実現するための具体的な折り処理機構を図４に示す。
【００４１】
折り処理実行部２１は、図４に示されるように、受け入れロール４１と、排出ロール４２と、折りロール４３〜４５と、Ｚ折りストッパ４６と、２折りストッパ４７と、２折り用紙搬送ロール４８と、受け入れロール４１と排出ロール４２との間に設けられた折り部主搬送路５１と、２折り処理した用紙を搬送するための２折り搬送路５２と、Ｚ折り処理した用紙を搬送するためのＺ折り搬送路５３とを備えている。
【００４２】
折り部主搬送路５１の途中に設けられた２折りストッパ４７は、２折り処理およびＺ折り処理する場合に、折り部搬送路５１を搬送されてくる用紙を停止させる。２折り搬送路５２の途中に設けられたＺ折りストッパ４６は、Ｚ折り処理する場合に、２折り搬送路５２を搬送されてくる用紙を停止させる。そして、２折りストッパ４７およびＺ折りストッパ４６の位置は、折りを入れる場所により変化可能なように構成されており、２折りストッパ４７およびＺ折りストッパ４６の位置を変化させることにより、所望の場所に折りを入れることが可能となっている。
【００４３】
このように構成された折り処理実行部２１による折り処理動作を図５〜図８を参照して説明する。
【００４４】
先ず、用紙の２折り処理を行う場合について説明する。２折り処理が行われる場合、２折りストッパ４７が折り部主搬送路５１を閉鎖するため、折り部主搬送路５１を搬送されてきた用紙は、図５に示すように、先端部分が２折りストッパ４７により停止される。そして、２折りストッパ４７により停止された用紙は、図６に示すように、折りロール４３、４５に押し込まれるような形で引き込まれて２折りされる。このように２折りされた用紙は、２折り用紙搬送ロール４８により２折り搬送路５２を搬送され、折り部主搬送路５１に合流し、排出ロール４２により折り処理実行部２１から排出される。
【００４５】
次に、用紙のＺ折り処理を行う場合について説明する。Ｚ折り処理が行われる場合、２折りストッパ４７に加えてＺ折りストッパ４６も閉鎖される。Ｚ折りが行われる場合、先ず図５、図６と同様な工程により２折り処理がされる。そして、Ｚ折り処理が行われる場合にはＺ折りストッパ４６が閉鎖されているため、２折り搬送路５２に引き込まれた用紙は、図７に示すように、Ｚ折りストッパ４６により停止される。そして、Ｚ折りストッパ４６により停止された用紙は、図８に示すように、折りロール４４、４５に押し込まれるような形で引き込まれてＺ折りされる。このようにＺ折りされた用紙は、Ｚ折り搬送路５３を搬送され、折り部主搬送路５１に合流し、排出ロール４２により折り処理実行部２１から排出される。
【００４６】
このように折り処理実行部２１では、上記で説明した２折りストッパ４７およびＺ折りストッパ４６の位置を変化させることにより、折り処理条件決定部３４により決定された折処理条件に基づいて折り処理を実行することが可能となる。
【００４７】
次に、本実施形態の画像形成システムにおける折処理を図９のフローチャートを参照して説明する。
【００４８】
端末装置３０において印刷データが生成され、この印刷データが画像形成装置１０に転送されてくると、画像形成装置１０はこの印刷データを受信する（ステップＳ１０１）。すると、画像形成装置１０の出力画像表示部３１は、受信した印刷データに基づいた画像を表示部等に表示する（ステップＳ１０２）。使用者（ユーザ）がこの表示を参照して、外部から隠したい領域、または外部に見えるようにしたい領域を領域設定部３３により設定すると（ステップＳ１０３）、折り処理条件決定部３４は、領域設定部３３における設定結果を実現するような折り方向、折り位置、順序からなる折り処理条件を設定する（ステップＳ１０４）。そして、折り処理条件決定部３４により決定された折処理条件は画像形成装置１０から折り処理装置２０に転送される。
【００４９】
画像形成装置１０の画像出力部３２では、端末装置３０からの印刷データに基づいた画像を用紙に出力する（ステップＳ１０５）。折処理装置２０の折り処理実行部２１では、画像形成装置１０から出力された用紙に対して、折り処理条件設定部３４により設定された折処理条件に基づいて折り処理が実行される（ステップＳ１０６）。
【００５０】
次に、領域設定部３３により設定された領域に基づいて、折り処理条件決定部３４が折り処理条件を決定する具体的な例を図面を参照して説明する。
【００５１】
図１０は、領域設定部３３による領域設定の際に表示される画面の一例を示す図である。この図１０は、用紙先端のヘッダ部分において見せたい領域を設定する場合の表示例である。図１０に示す例では、用紙先端から幅Ａの部分が見せたい領域として設定されている。
【００５２】
このように用紙先端から所定幅だけ見せたい領域が設定された場合、折り処理条件決定部３４は、用紙先端から、用紙の搬送方向の全長から見せたい領域の幅を減じた値（Ｂ）の半分の値に該見せたい領域の幅（Ａ）を加算した場所に、谷折りを行うような折り処理条件を決定する。具体的には、折り処理条件決定部３４は、用紙先端からＡ＋Ｂ／２の距離の場所に谷折りを行うような折り処理条件を決定する。このように用紙先端から、Ａ＋Ｂ／２の位置を折り位置として、この折り位置で谷折りをすることで、見せたい領域が外部から視認可能となり、その他の領域は外部から隠されることとなる。
【００５３】
本実施形態における折り処理条件決定部３４の各折り処理条件決定の際に、用紙の搬送方向の全長から見せたい領域の幅を減じた値（Ｂ）の半分の値に該見せたい領域の幅（Ａ）を加算した場所に折り位置を設定しているが、折り位置の決定に際して厳密に上記Ｂの値の半分の値を加算することが重要とは限らず、見せたい領域を設定した場合には当該領域が視認可能であればよく、逆に隠したい領域を設定した場合には当該領域が隠されていればいいのは言うまでもない。
【００５４】
そして、図１０に示す表示例では、このように設定された折り処理条件に基づいて折り処理を行った場合の用紙状態が折り処理結果プレビュー表示として示されている。
【００５５】
本実施形態の画像形成装置１０では、見せたい領域を複数の場所に設定することが可能となっている。図１１は、用紙先端のヘッダ部分と用紙後端のフッタ部分の２箇所に見せたい領域を設定する場合の表示例である。図１１に示す例では、用紙先端から幅Ａの部分が見せたい領域として設定され、用紙先端からＡ＋Ｃの幅よりも後ろの部分も見せたい領域として設定されている。
【００５６】
このように用紙先端から所定幅の見せたい領域と、用紙後端から所定幅の見せたい領域とが設定された場合、折り処理条件決定部３４は、用紙先端から、用紙の搬送方向の全長からヘッダ部分の見せたい領域の幅およびフッタ部分の見せたい領域の幅を減じた値（Ｃ）の半分の値にヘッダ部分の見せたい領域の幅（Ａ）を加算した場所に谷折りを行い、用紙の搬送方向の全長からフッタ部分の見せたい領域の幅を減じた値（Ａ＋Ｃ）の場所に山折りを行うような折り処理条件を決定する。具体的には、折り処理条件決定部３４は、用紙先端からＡ＋Ｃ／２の距離の場所に谷折りを行い、Ａ＋Ｃの場所に山折りを行うような折り処理条件を決定する。そして、このように設定された折り処理条件に基づいて折り処理を行った場合の用紙状態が折り処理結果プレビュー表示として示される。
【００５７】
なお、本実施形態における折り処理条件決定部３４の各折り処理条件決定にあたり、折り位置の決定のために、折りを行う位置を算出するうえで上記各値に対して半分の値を算出したり加減算処理を行った場合で説明したが、折り位置の決定に際して厳密に上記各値の半分の値を加減算することが重要とは限らず、見せたい領域を設定した場合には当該領域が視認可能であればよく、逆に隠したい領域を設定した場合には当該領域が隠されていればいいのは言うまでもない。
【００５８】
図１２は、隠したい領域を設定する場合の表示例である。図１２では、図１１に示したのと同様な設定を行いたい場合に、見せたい領域ではなく、外部から隠したい領域を設定する場合が示されている。このように設定した場合でも、図１１に示した場合と同様な折り処理条件が折り処理条件決定部３４により決定されることとなる。なぜならば、領域設定部３３により外部から見えるようにしたい領域が設定された場合、残りの領域は隠したい領域であり、領域設定部３３により隠したい領域が設定された場合、残りの領域は外部から見えるようにしたい領域となるからである。
【００５９】
次に、折り処理を行った後の結果のプレビュー画像を確認しつつ、見せたい領域または隠したい領域を設定するようにした場合の表示例を図１３〜図１８を参照して説明する。
【００６０】
このような方法により領域設定を行う場合、図１３に示されるように、折り処理を行おうとする画像が表示された状態で、見せたい領域を設定するのか隠したい領域を設定するのかを選択する。なお、ここでは見せたい領域を設定することを選択したものとして説明する。
【００６１】
このように見せたい領域を設定することが選択された場合、図１４に示すように、２折り処理が行われたことにより全ての領域が隠された状態となっている画像が表示される。
【００６２】
見せたい領域の設定を行う使用者は、図１５に示すように、見せたい領域を画面中で確認しつつ折り返された用紙下端部の位置をドラッグによって調整する。そして、この調整が終了し使用者が実行ボタンを押下することにより、見せたい領域の範囲が確定する。
【００６３】
ここで、使用者が領域追加ボタンを押下した場合、図１６に示すように用紙下端部に新たに見せたい領域が追加される。
【００６４】
そして、図１７に示すように、使用者は、用紙下端部における見せたい領域を画面中で確認しつつ折り返された用紙下端部の位置をドラッグによって調整する。そして、図１８に示すように、この調整が終了し使用者が実行ボタンを押下することにより、見せたい領域の範囲が確定する。なお、用紙下端部の見せたい領域の範囲を調整する場合でも、先に設定した用紙先端部の見せたい領域の範囲は変化しない。ただし、図１７に示す画面においても、用紙下端部の見せたい領域の上側がドラッグされた場合、用紙先端部の見せたい領域の範囲が調整されるようにしても良い。
【００６５】
さらに、折り処理条件が確定した後に、設定された折処理条件を実行した場合にどの部分に折りが発生するかを示すような展開図を画面表示するようにしてもよい。
【００６６】
[第２の実施形態]
次に、本発明の第２の実施形態の折り処理装置２０ａについて説明する。
本実施形態における折り処理装置２０ａは、図１９に示されるように、折り処理実行部２１と、領域設定部３３と、折り処理条件決定部３４とを有している。図１９において、図３中の構成要素と同一の構成要素には同一の符号を付し、説明を省略するものとする。
【００６７】
本実施形態における折り処理装置２０ａは、図３に示した第１の実施形態の画像形成システムにおいて、折り処理装置２０に対して、領域設定部３３と、折り処理条件決定部３４を設けるようにしたものである。
【００６８】
このような構成としたことにより、本実施形態における折り処理装置２０ａ単体において、見せたい領域または隠したい領域の設定および、折り処理条件の決定を行うことが可能となる。
【００６９】
[第３の実施形態]
次に、本発明の第３の実施形態の画像形成システムについて説明する。
【００７０】
本実施形態における画像形成システムは、図２０に示されるように、端末装置３０ｂと、画像形成装置１０ｂと、折り処理装置２０とから構成されている。図２０において、図３中の構成要素と同一の構成要素には同一の符号を付し、説明を省略するものとする。
【００７１】
本実施形態における端末装置３０ｂは、領域設定部３３、折り処理条件決定部３４、印刷データ生成部３５、表示部３６を備えている。また、画像形成装置１０ｂは、画像出力部３２を有する。
【００７２】
印刷データ生成部３５は、画像形成装置１０ｂに対して送信するための印刷データを生成する。また、表示部３６は、印刷データ生成部３５により生成された印刷データに基づいた画像を表示する。
【００７３】
本実施形態における端末装置３０ｂは、画像形成装置１０ｂに対する印刷指示を行う印刷指示装置として機能するとともに、折り処理後の見せたい領域または隠したい領域の設定および折り処理条件の決定を行う機能を有する。折り処理条件決定部３４により決定された折処理条件は、画像形成装置１０ｂを経由して折り処理装置２０に転送されるようにしてもよいし、直接折り処理装置２０に転送されるようにしてもよい。
【００７４】
[第４の実施形態]
次に、本発明の第４の実施形態の画像形成装置について説明する。
本実施形態における画像形成装置１０ｃは、図２１に示すように、図３に示した第１の実施形態の画像形成装置１０に対して、折り処理実行部２１が設けられた構成となっている。図２１において、図３中の構成要素と同一の構成要素には同一の符号を付し、説明を省略するものとする。本実施形態の画像形成装置１０ｃは、折り処理機構が備えられた画像形成装置に対して本発明を適用したものである。
【００７５】
本実施形態では、折り処理後の見せたい領域または隠したい領域の設定、折り処理条件の決定、折り処理の実行が、画像形成装置１０ｃ単体で実行されることとなる。
【００７６】
[変形例]
上記実施形態では、用紙の中間で谷折りを行う２折り処理および用紙の中間で谷折りと山折りを行うＺ折り処理を行う場合について説明したが、本発明はこれに限定されるものではなく、他の折り処理方法により外部から見えるようにしたい領域または隠したい領域を実現することができる場合でも同様に本発明を適用することができるものである。
【００７７】
なお、上記実施形態では、折り処理機能を有する折り処理装置２０を含む画像形成システムを用いて説明したが、折り処理機能とともにステープル処理、ブック処理、穴あけ処理等の他の処理機能を有する後処理装置を用いた画像形成システムについても本発明は同様に適用可能である。
【図面の簡単な説明】
【００７８】
【図１】本発明の第１の実施形態の画像形成システムの構成を示す図である。
【図２】本発明の第１の実施形態における画像形成装置１０のハードウェア構成図である。
【図３】本発明の第１の実施形態における画像形成装置１０の機能構成図である。
【図４】図３中の折り処理実行部２１を実現するための具体的な折り処理機構を示す図である。
【図５】折り処理実行部２１による２折り処理の動作を説明するための図である。
【図６】折り処理実行部２１による２折り処理の動作を説明するための図である。
【図７】折り処理実行部２１によるＺ折り処理の動作を説明するための図である。
【図８】折り処理実行部２１によるＺ折り処理の動作を説明するための図である。
【図９】本発明の第１の実施形態の画像形成システムにおける折処理を示すフローチャートである。
【図１０】領域設定部３３による領域設定の際に表示される画面の一例を示す図である。
【図１１】領域設定部３３による領域設定の際に表示される画面の他の例を示す図である。
【図１２】領域設定部３３による領域設定の際に表示される画面の他の例を示す図である。
【図１３】折り処理を行った後の結果のプレビュー画像を確認しつつ領域設定を行う場合の表示例を示す図である。
【図１４】折り処理を行った後の結果のプレビュー画像を確認しつつ領域設定を行う場合の表示例を示す図である。
【図１５】折り処理を行った後の結果のプレビュー画像を確認しつつ領域設定を行う場合の表示例を示す図である。
【図１６】折り処理を行った後の結果のプレビュー画像を確認しつつ領域設定を行う場合の表示例を示す図である。
【図１７】折り処理を行った後の結果のプレビュー画像を確認しつつ領域設定を行う場合の表示例を示す図である。
【図１８】折り処理を行った後の結果のプレビュー画像を確認しつつ領域設定を行う場合の表示例を示す図である。
【図１９】本発明の第２の実施形態の折り処理装置２０ａの構成を示すブロック図である。
【図２０】本発明の第３の実施形態の画像形成システムの構成を示すブロック図である。
【図２１】本発明の第４の実施形態の画像形成装置１０ｃの構成を示すブロック図である。
【符号の説明】
【００７９】
１０、１０ｂ、１０ｃ    画像形成装置
１１    ＣＰＵ
１２    メモリ
１３    記憶装置
１４    通信インタフェース（ＩＦ）
１５    ユーザインタフェース（ＵＩ）装置
１６    スキャナ
１７    プリントエンジン
１８    制御バス
２０、２０ａ    折り処理装置
２１    折り処理実行部
３０、３０ｂ    端末装置
３１    出力画像表示部
３２    画像出力部
３３    領域設定部
３４    折り処理条件決定部
３５    印刷データ生成部
３６    表示部
４０    ネットワーク
４１    受け入れロール
４２    排出ロール
４３〜４５    折りロール
４６    Ｚ折りストッパ
４７    ２折りストッパ
４８    ２折り用紙搬送ロール
５１    折り部主搬送路
５２    ２折り搬送路
５３    Ｚ折り搬送路
Ｓ１０１〜Ｓ１０６    ステップ
【図１】
2009102143.tif 000003
【図２】
2009102143.tif 000004
【図３】
2009102143.tif 000005
【図４】
2009102143.tif 000006
【図５】
2009102143.tif 000007
【図６】
2009102143.tif 000008
【図７】
2009102143.tif 000009
【図８】
2009102143.tif 000010
【図９】
2009102143.tif 000011
【図１０】
2009102143.tif 000012
【図１１】
2009102143.tif 000013
【図１２】
2009102143.tif 000014
【図１３】
2009102143.tif 000015
【図１４】
2009102143.tif 000016
【図１５】
2009102143.tif 000017
【図１６】
2009102143.tif 000018
【図１７】
2009102143.tif 000019
【図１８】
2009102143.tif 000020
【図１９】
2009102143.tif 000021
【図２０】
2009102143.tif 000022
【図２１】
2009102143.tif 000023